(57)【要約】【課題】柄杓を移動させることなく確実に保持することができ、所定の位置で柄杓を容易に掴み取ることができるようにする使い勝手の良い釣り用柄杓立ての提供を目的としている。【解決手段】本発明の一実施形態に係る釣り用柄杓立て１は、柄杓４０の柄４０ａを差し込んで保持するための切り欠き１３，１５を容器本体２の開口部９に有している。そのため、容器本体２内に立て掛けた柄杓４０の柄４０ａを切り欠き１３，１５に差し込むことにより、柄杓４０を移動不能に保持することができ、所定の位置で柄杓４０を容易に掴み取ることができるようになる。【選択図】図１
2008029300.tif 000002
【特許請求の範囲】
【請求項１】
撒き餌を掬い取るための柄杓を立てた状態で保持する釣り用柄杓立てにおいて、
上方に開口部を有する容器本体と、撒き餌容器に対して前記容器本体を係止させるための係止具とを有し、前記容器本体の前記開口部に柄杓の柄を差し込んで保持するための切り欠きが設けられていることを特徴とする釣り用柄杓立て。
【請求項２】
前記容器本体には、当該容器本体内に立て掛けられた柄杓を前記切り欠きに向かって誘導するための誘導手段が設けられていることを特徴とする請求項１に記載の釣り用柄杓立て。
【請求項３】
前記誘導手段は、前記容器本体の開口部を前記切り欠きに向かって幅狭となるように形成することにより構成されることを特徴とする請求項２に記載の釣り用柄杓立て。
【請求項４】
前記開口部を形成する前記容器本体の側壁上縁部が前記切り欠きに向かって下側に傾斜していることを特徴とする請求項３に記載の釣り用柄杓立て。
【請求項５】
前記切り欠きには、その入口部分に、可撓性を有する突片が設けられていることを特徴とする請求項１ないし請求項４のいずれか１項に記載の釣り用柄杓立て。
【発明の詳細な説明】
【技術分野】
【０００１】
本発明は、撒き餌を掬い取るための柄杓を立てた状態で保持する釣り用柄杓立てに関する。
【背景技術】
【０００２】
従来から、特に磯釣りでは、撒き餌を使用することが多く、この撒き餌を撒くにあたっては、撒き餌を掬い取ってポイントに投入するために釣り用柄杓が使用されてきた。
【０００３】
撒き餌は、通常、所定の容器（以下、撒き餌容器という）に入れられて、釣りをしている最中にいつでも投入できるように足下に置かれる。このとき、釣り用柄杓は、一般に、撒き餌容器内に当該容器の周壁に立て掛けられた状態で置かれる。
【０００４】
しかし、このようにして釣り用柄杓を撒き餌容器の周壁に無造作に立て掛けた状態で置いておくと、釣り用柄杓が撒き餌容器の開口内で自由に移動して、容器内に釣り用柄杓が倒れ込んでしまう場合がある。そのため、釣り用柄杓を保持するための柄杓立てが用いられるようになった（例えば、特許文献１ないし特許文献４参照）。
【特許文献１】特開２００６−５５１０７号公報
【特許文献２】実開平４−５２４７９号公報
【特許文献３】実開平７−３９４５１号公報
【特許文献４】特開２００６−８１号公報
【発明の開示】
【発明が解決しようとする課題】
【０００５】
前記釣り用柄杓立ては、一般に、上方に開口を有する容器本体と、この容器本体を撒き餌容器に取り付けるためのフック状の係止部とを有しており、前記係止部により撒き餌容器等の開口に係止されて不使用時の釣り用柄杓を差し込んでおくことができるようになっている。
【０００６】
しかしながら、釣り人は、多くの場合、ウキを見ながらこの釣り用柄杓の取っ手部分（または柄）を手探りで探して握持するため、従来の釣り用柄杓立てでは、その開口の内側に沿って柄杓の柄が移動してしまうことがあり、柄杓を確実に掴むことが難しかった。
【０００７】
本発明は、前記事情に着目してなされたものであり、その目的とするところは、柄杓を移動させることなく確実に保持することができ、所定の位置で柄杓を容易に掴み取ることができるようにする使い勝手の良い釣り用柄杓立てを提供することにある。
【課題を解決するための手段】
【０００８】
前記課題を解決するために、本発明は、撒き餌を掬い取るための柄杓を立てた状態で保持する釣り用柄杓立てにおいて、上方に開口部を有する容器本体と、撒き餌容器に対して前記容器本体を係止させるための係止具とを有し、前記容器本体の前記開口部に柄杓の柄を差し込んで保持するための切り欠きが設けられていることを特徴とする。
【発明の効果】
【０００９】
本発明によれば、柄杓の柄を差し込んで保持するための切り欠きが容器本体の開口部に設けられているため、容器本体内に立て掛けた柄杓の柄を切り欠きに差し込むことにより、柄杓を移動不能に保持することができ、所定の位置で柄杓を容易に掴み取ることができるようになる。そのため、使い勝手が非常に良い。
【発明を実施するための最良の形態】
【００１０】
以下、図面を参照しながら、本発明の実施形態について説明する。
図１〜図３は本発明の第１の実施形態を示している。これらの図に示されるように、本実施形態の釣り用柄杓立て１は、上方に開口部９を有する容器本体２と、撒き餌Ｓが収容された撒き餌容器５０に対して容器本体２を係止させるための係止具４とから成り、釣り用柄杓４０の柄４０ａを差し込んで保持するための切り欠き１３，１５を開口部９に有している。なお、釣り用柄杓４０は、取っ手４０ｃを有する柄４０ａと、柄４０ａの先端に設けられた掬い部（以下、単にカップという）４０ｂとから成る。また、係止具４は、撒き餌容器５０の側壁の周縁部等に引っ掛けられて係止される一対のフック状の係止部４ａ，４ａから成る。
【００１１】
具体的に説明すると、容器本体２は、柔軟性を有する合成樹脂によって形成されており、底部１１と側壁部とを有している。本実施形態において、前記側壁部は、互いに対向する一対の幅狭な第１および第２の側壁１０，１２と、これらの側壁１０，１２同士を接続するように互いに対向して延びる一対の第３および第４の側壁１４，１６とから成っている。
【００１２】
容器本体２を形成する合成樹脂は非透水性を有しており、これにより、容器本体２内に水を貯めて、差し込んだ柄杓４０のカップ４０ｂを洗浄したり、撒き餌投入時の餌離れが良好となるようにカップ４０ｂを予め濡らすことができるようになっている。
【００１３】
また、容器本体２は、その内部への柄杓４０の差し込みが容易に行なえるように、底部１１よりも開口部９の方が広くなるように形成されている。そのため、容器本体２内に差し込まれた柄杓４０は、そのカップ４０ｂが底部１１に当接した位置で止まって保持され、これにより、差し込んだ柄杓４０が常に同じ高さで保持されるようになる（仮に、底部１１が無い柄杓立てに柄杓４０を差し込んでしまうと、カップ４０ｂが地面に付くまで柄杓４０が落下してしまう）。また、このように開口部９側が底部１１側よりも広く形成されていると、柄杓４０の差し込みが容易となる（釣り人は、容器本体２に対して柄杓４０を斜めに差し込むことができるため、態勢が楽になる）ばかりでなく、差し込まれた柄杓４０は、開口部９側よりも狭い底部１１側（カップ４０ｂ側）で移動が規制されて保持されるため、容器本体２内で倒れ難い。
【００１４】
また、前述したように、開口部９には切り欠き１３，１５が形成されている。特に本実施形態では、第３の側壁１４に第１の切り欠き１３が設けられるとともに、第１および第２の側壁１０，１２のそれぞれに第２の切り欠き１５が設けられている。このような切り欠き１３，１５を設けると、開口部９に差し込んだ柄杓４０の柄４０ａを更に切り欠き１３，１５に差し込むことにより、柄杓４０が移動を規制されて保持されるため、次に使用するときに取っ手４０ｃ等を握持し易くなる。
【００１５】
ここで、各切り欠き１３，１５は、開口部９の近傍に形成されており、底部１１まで達していない。また、これらの切り欠き１３，１５は、その底がその開口（入口部分）よりも幅広に形成されている。この場合、第１の切り欠き１３は、それ自体が底部１１側に向かって先細るテーパ状に形成されることにより、その底がその開口よりも幅広になっている。これに対し、第２の切り欠き１５は、その開口に設けた一対の突片２０，２０により、その底をその開口よりも幅広にしている。しかしながら、第２の切り欠き１５が第１の切り欠き１３と同様に底部１１側に向かって先細るテーパ状に形成されていても良い。なお、第２の切り欠き１５の開口に設けられる一対の突片２０，２０は、容器本体２と一体に形成された可撓性の片状部材から成り、互いに対向した状態で切り欠き１５の開口を狭くするように内方に向かって突出している。
【００１６】
また、本実施形態において、容器本体２には、容器本体２内に立て掛けられた柄杓４０を第２の切り欠き１５に向かって誘導するための誘導手段が設けられている。特に、本実施形態において、前記誘導手段は、容器本体２の開口部９を第２の切り欠き１５に向かって幅狭となるように形成することにより構成されている。具体的には、第３および第４の側壁１４，１６は、第１および第２の側壁１０，１２に対して略垂直に延びる互いに平行な対向面部１４ａ，１６ａと、これらの対向面部１４ａ，１６ａの両端から当該対向面部１４ａ，１６ａに対して所定の角度を成して第１および第２の側壁１０，１２へと延びる傾斜面部１４ｂ，１６ｂとから成り、容器本体２開口部９を第２の切り欠き１５に向かって収斂するようになっている。つまり、開口部９は、これらの傾斜面部１４ｂ，１６ｂにより、その幅が上方から見て第２の切り欠き１５に向かって幅狭になるように形成されている（図３参照）。
【００１７】
このような構成の釣り用柄杓立て１は、フック状の係止具４を撒き餌容器５０等に係止して使用することができる。柄杓４０で撒き餌Ｓを撒いた後に、釣り用柄杓立て１の容器本体２内に開口部９から柄杓４０を差し込む。柄杓４０が底部１１に当接すると、柄杓４０の保持高さが決められる。更に、柄杓４０の柄４０ａを、開口部９に当てがいながら傾斜面部１４ｂ，１６ｂに沿って移動させ、両傾斜面によって形成される開口部９の徐々に幅狭になる方向に誘導して第２の切り欠き１５に近づけて第２の切り欠き１５に差し込むと、柄杓４０が倒れないように保持される。この時、第２の切り欠き１５の入口にある可撓性を有する突片２０，２０によって柄杓４０が切り欠き１５から脱落することが防止される。無論、第１の切り欠き１３に柄杓４０を差し込んで保持することもできる。
【００１８】
以上説明したように、本実施形態の釣り用柄杓立て１は、柄杓４０の柄４０ａを差し込んで保持するための切り欠き１３，１５を容器本体２の開口部９に有しているため、容器本体２内に立て掛けた柄杓４０の柄４０ａを切り欠き１３，１５に差し込むことにより、柄杓４０を移動不能に保持することができ、所定の位置で柄杓４０を容易に掴み取ることができるようになる。そのため、使い勝手が非常に良い。
【００１９】
また、本実施形態の釣り用柄杓立て１は、容器本体２内に立て掛けられた柄杓４０を第２の切り欠き１５に向かって誘導するための誘導手段を容器本体２に有している。そのため、釣り用柄杓立て１に柄杓４０を差し込んだときに柄杓４０の柄４０ａを容易に第２の切り欠き１５に差し込むことができる。
【００２０】
また、本実施形態において、前記誘導手段は、容器本体２の開口部９を第２の切り欠き１５に向かって幅狭となるように形成することにより構成されている。したがって、誘導手段を簡単に形成することができる。
【００２１】
また、本実施形態では、第２の切り欠き１５の入口部分に、可撓性を有する突片２０が設けられている。そのため、第２の切り欠き１５に差し込んだ柄杓４０が切り欠き１５から脱落することが防止される。
【００２２】
図４および図５は本発明の第２の実施形態を示している。これらの図に示されるように、本実施形態の釣り用柄杓立て１Ａは、第１の実施形態の構成において、第１および第２の側壁１０，１２と第３および第４の側壁１４，１６とが滑らかな湾曲面状に繋がり且つ第３および第４の側壁１４，１６の対向面部１４ａ，１６ａと傾斜面部１４ｂ，１６ｂとが滑らかな湾曲面状に繋がった形状を成しており（図４および図５には、側壁１０，１２，１４，１６および対向面部１４ａ，１６ａ並びに傾斜面部１４ｂ，１６ｂに対応する部位として、参照符号１０’，１２’，１４’（１４ａ’，１４ｂ’），１６’（１６ａ’，１６ｂ’）が付されている）、また、傾斜面部１４ｂ，１６ｂにほぼ対応する側壁１４’，１６’の上縁部は、対応する第２の切り欠き１５に向かって下側に傾斜する緩やかな円弧状の斜面６０を誘導手段の一部として有している。なお、それ以外の構成は第１の実施形態と同じである。
【００２３】
このような構成によれば、柄杓４０の柄４０ａを、開口部９に当てがいながら移動させて、側壁１４’，１６’に沿って開口部９の形状が徐々に幅狭になる第２の切り欠き１５へ近づけると、柄４０ａが斜面６０に達した段階で自然と第２の切り欠き１５に落とし込まれるように移動するため、容器本体２内に立て掛けられた柄杓４０を第２の切り欠き１５に向かって誘導する誘導効果を更に向上させることができる。
【産業上の利用可能性】
【００２４】
本発明は、柄杓を保持するあらゆる容器に対して適用することができる。
【図面の簡単な説明】
【００２５】
【図１】本発明の第１の実施形態に係る釣り用柄杓立て及びこの釣り用柄杓立てが取り付けられる撒き餌容器の斜視図である。
【図２】本発明の第１の実施形態に係る釣り用柄杓立て及びこの釣り用柄杓立てが取り付けられる撒き餌容器の側断面図である。
【図３】本発明の第１の実施形態に係る釣り用柄杓立ての平面図である。
【図４】本発明の第２の実施形態に係る釣り用柄杓立て及びこの釣り用柄杓立てが取り付けられる撒き餌容器の斜視図である。
【図５】本発明の第２の実施形態に係る釣り用柄杓立て及びこの釣り用柄杓立てが取り付けられる撒き餌容器の側断面図である。
【符号の説明】
【００２６】
１  釣り用柄杓立て
２  容器本体
４  係止具
９  開口部
１３  第１の切り欠き
１５  第２の切り欠き
１４ｂ，１６ｂ  傾斜面部（誘導手段）
２０  突片
６０  斜面（誘導手段）
【図１】
2008029300.tif 000003
【図２】
2008029300.tif 000004
【図３】
2008029300.tif 000005
【図４】
2008029300.tif 000006
【図５】
2008029300.tif 000007